(57)【特許請求の範囲】
【請求項１】
固定側部材と、この固定側部材に対して昇降自在なアームレストと、このアームレストの固定操作具とからなるアームレスト装置であって、前記アームレストからは四角棒状体が垂下され、前記固定側部材はガイド体と受け体とから構成され、前記ガイド体は逆向きＬ字状で、その上位横板部には前記四角棒状体が昇降自在に挿通される矩形孔が形成され、また縦板部には横方向の螺子孔が形成され、前記受け体は上位横板部から垂下状に連設され、この受け体の受け面は横断面Ｖ字状に形成されるとともに、この横断面Ｖ字状の受け面に前記四角棒状体の一対のコーナ部が側方から当接自在に構成され、前記固定操作具は、前記螺子孔に対して外側から螺合自在な固定用ボルトからなり、その螺合による締付けによって、前記四角棒状体を受け面に押し付けて固定させることを特徴とするアームレスト装置。
【発明の詳細な説明】
【０００１】
【発明の属する技術分野】
本発明は、たとえば荷役車両において、荷役操作レバーを操作する際に、腕を置いて操作を軽減するのに使用されるアームレスト装置に関するものである。
【０００２】
【従来の技術】
従来、たとえば荷役車両においては、図３に示されるように、荷役操作レバー１１を操作するときに、長時間に亘って作業しても腕が疲れないように、座席１２の横でかつ荷役操作レバー１１の近くにアームレスト装置１５が配設されている。その際にアームレスト装置１５は、オペレータの体格に合わせてアームレスト１６の高さを調整可能に構成されている。そして、高さ調整可能なアームレスト装置１５としては、種々な構成が提供されている。
【０００３】
すなわち、図３、図４の（ａ）に示されるアームレスト装置１５において、そのアームレスト１６は矩形板状であって、その下面中央部分からは四角棒状体１７が垂下されている。また固定側には四角筒状部材２０が設けられ、この四角筒状部材２０に対して四角棒状体１７が挿通されることで、アームレスト１６は昇降自在に構成されている。そして、四角筒状部材２０の一側板に螺合される固定用ボルト２１を四角棒状体１７に当接させて、この四角棒状体１７を四角筒状部材２０の他側板内面に圧接させることで、希望の昇降位置で固定可能としている。
【０００４】
また、図４の（ｂ）に示されるアームレスト装置１５は、固定側に板状部材２２が設けられ、そしてアームレスト１６には板状体２３が設けられている。前記アームレスト１６は、その板状体２３が板状部材２２に対して摺動されることで昇降自在に構成されている。そして板状体２３の二箇所に形成された上下方向の長孔２４に対して、固定用ボルト２１が外側から通されたのち板状部材２２に螺合されることで、希望の昇降位置で固定可能としている。
【０００５】
また、図４の（ｃ）に示されるアームレスト装置１５は、四角棒状体１７の一側面が鋸歯面２６に形成され、そして固定用ボルト２１の先端に設けられた鋸歯部材２７が前記鋸歯面２６に噛合されることで、希望の昇降位置で固定可能としている。
【０００６】
また、図４の（ｄ）に示されるアームレスト装置１５は、四角筒状部材２０の下方に、四角棒状体１７の下部を昇降案内する下部四角筒状部材２８が設けられている。
【０００７】
【発明が解決しようとする課題】
しかし、上記した従来構成のうちで、図３、図４の（ａ）に示されるアームレスト装置１５は、固定用ボルト２１による締付け（圧接）位置を中心状として横回動方向のガタつきが発生し易く、オペレータに不快感を与えるなどの問題がある。これに対して、図４の（ｂ）、図４の（ｃ）、図４の（ｄ）に示される各アームレスト装置１５は、ガタつきを防止し得るが、その反面、操作性、構造、価格などに問題があった。
【０００８】
すなわち、図４の（ｂ）に示されるアームレスト装置１５は、２本の固定用ボルト２１を操作しなければならないことから、操作は面倒でしかも容易に行えず、また図４の（ｃ）に示されるアームレスト装置１５は、複雑な構成となる噛合形式であることから、加工は容易に行えずかつ高価となり、さらに図４の（ｄ）に示されるアームレスト装置１５は、下部四角筒状部材２８の取り付け場所に問題が生じることになる。
【０００９】
そこで本発明の請求項１記載の発明は、操作性や構造が簡単でかつ安価であり、しかもガタつきを防止したアームレスト装置を提供することを目的としたものである。
【００１０】
【課題を解決するための手段】
前述した目的を達成するために、本発明のうちで請求項１記載のアームレスト装置は、固定側部材と、この固定側部材に対して昇降自在なアームレストと、このアームレストの固定操作具とからなるアームレスト装置であって、前記アームレストからは四角棒状体が垂下され、前記固定側部材はガイド体と受け体とから構成され、前記ガイド体は逆向きＬ字状で、その上位横板部には前記四角棒状体が昇降自在に挿通される矩形孔が形成され、また縦板部には横方向の螺子孔が形成され、前記受け体は上位横板部から垂下状に連設され、この受け体の受け面は横断面Ｖ字状に形成されるとともに、この横断面Ｖ字状の受け面に前記四角棒状体の一対のコーナ部が側方から当接自在に構成され、前記固定操作具は、前記螺子孔に対して外側から螺合自在な固定用ボルトからなり、その螺合による締付けによって、前記四角棒状体を受け面に押し付けて固定させることを特徴としたものである。
【００１１】
したがって請求項１の発明によると、アームレストの高さ調整を行うに、まず固定用ボルトを緩め操作して、四角棒状体の受け面に対する押し付けを開放させる。次いで、アームレストを昇降させ、所望の高さ位置にした状態で、固定用ボルトを締付け操作（螺合操作）することにより、四角棒状体を受け面に押し付け得、以て四角棒状体を受け体と固定用ボルトとにより挟持して、アームレストを所望の高さ位置で固定し得る。その際にアームレストの固定は、横断面Ｖ字状の受け面における一対（２箇所の）の面に四角棒状体の一対のコーナ部（２部分）を圧接させて行うことから、すなわち、離れた２箇所を圧接位置として行うことから、四角棒状体のガタつきを完全に防止した状態で行える。
【００１２】
【発明の実施の形態】
以下に、本発明の実施の形態を、図１、図２に基づいて説明する。
アームレスト装置１は、固定側部材２と、この固定側部材２に対して昇降自在なアームレスト７と、このアームレスト７の固定用ボルト（固定操作具の一例）９とにより構成される。前記固定側部材２は、逆向きＬ字状のガイド体３と、横断面Ｖ字状の受け体４などから構成されている。また前記アームレスト７は矩形板状であって、その下面中央部分からは四角棒状体（サポート体の一例）８が垂下されている。
【００１３】
前記ガイド体３の上位横板部３ａには、前記四角棒状体８が昇降自在に挿通される矩形孔５が形成され、また縦板部３ｂには横方向の螺子孔６が形成されている。前記受け体４は、上位横板部３ａの遊端下面から垂下状に連設され、以てアームレスト７の四角棒状体８が側方から当接自在に構成されている。その際に受け体４の受け面４ａは横断面Ｖ字状に形成されている。そして固定用ボルト９は、前記螺子孔６に対して外側から螺合自在であり、その螺合による締付けによって、四角棒状体８を受け面４ａに押し付けて固定させるように構成されている。
【００１４】
以下に、上記した実施の形態における作用を説明する。
アームレスト７の高さ調整を行うに、まず固定用ボルト９を緩め操作して、四角棒状体８の受け面４ａに対する押し付けを開放させる。次いで、片側の手によりアームレスト７を保持して昇降させ、そして所望の高さ位置を維持した状態で、他側の手により固定用ボルト９を締付け操作（螺合操作）する。この締付け操作により、四角棒状体８を受け面４ａに押し付けることになり、以て四角棒状体８を受け体４と固定用ボルト９とにより挟持して、アームレスト７を所望の高さ位置で固定し得る。
【００１５】
このような実施の形態によると、アームレスト７の固定は、横断面Ｖ字状の受け面４ａにおける一対（２箇所の）の面に四角棒状体８の一対のコーナ部（２部分）を圧接させて行うことから、すなわち、離れた２箇所を圧接位置として行うことから、四角棒状体８のガタつきを完全に防止した状態で行える。しかも、固定用ボルト９を受け止める受け体４として、横断面Ｖ字状の受け面４ａが形成されものを採用するだけでよいことから、その構造は簡単でかつ安価に提供し得、そして１本の固定用ボルト９の操作でよいことから、その操作は簡単かつ容易に行える。
【００１７】
【発明の効果】
上記した本発明の請求項１によると、アームレストを昇降させたのち固定用ボルトを締付け操作（螺合操作）することにより、四角棒状体を受け面に押し付けて、この四角棒状体を受け体と固定用ボルトとにより挟持でき、以てアームレストを所望の高さ位置で固定できる。その際にアームレストの固定は、横断面Ｖ字状の受け面における一対（２箇所の）の面に四角棒状体の一対のコーナ部（２部分）を圧接させて行うことから、すなわち、離れた２箇所を圧接位置として行うことから、四角棒状体のガタつきを完全に防止した状態で行うことができる。しかも、固定用ボルトの締付け力を受け止める受け体として横断面Ｖ字状の受け面を形成したものを採用するだけでよいことから、その構造は簡単でかつ安価に提供でき、そして１本の固定用ボルトの操作でよいことから、その操作は簡単かつ容易に行うことができる。
【図面の簡単な説明】
【図１】本発明の実施の形態の一例を示し、アームレスト装置の斜視図である。
【図２】同アームレスト装置の横断平面図である。
【図３】従来例を示し、アームレスト装置の配設状態の斜視図である。
【図４】同アームレスト装置の種々な形式であって、（ａ）〜（ｄ）はそれぞれ分解状の斜視図である。
【符号の説明】
１    アームレスト装置
２    固定側部材
３    ガイド体
３ａ  上位横板部
３ｂ  縦板部
４    受け体
４ａ  受け面
５    矩形孔
６    螺子孔
７    アームレスト
８    四角棒状体（サポート体）
９    固定用ボルト（固定操作具）
【図１】
0004107804.tif 000002
【図２】
0004107804.tif 000003
【図３】
0004107804.tif 000004
【図４】
0004107804.tif 000005